(57)【要約】      （修正有）【課題】第三者が容易にマイクロフォンを取り外しできないマイクロフォン装置を提供する。【解決手段】マイクロフォン装置は、端部に雄型コネクタを有するグースネック型マイクロフォンと、雄型コネクタと着脱可能な雌型コネクタ１１、及びこの雌型コネクタのための装着口１２を持つケーシングを有するスタンド本体２と、スタンド本体のケーシング内に配設され、雄型コネクタを雌型コネクタに装着した状態で固定するロック機構とを備えるマイクロフォン装置であって、ロック機構が、雄型コネクタの挿入方向に押圧されることで雄型コネクタの固定を解除可能に構成されるアンロック部材１４を有し、ケーシングが装着口の近傍部位に、アンロック部材を操作するための棒状治具用の挿入孔１５を有する。【選択図】図２
2018129633.tif 000002
【特許請求の範囲】
【請求項１】
端部に雄型コネクタを有するグースネック型マイクロフォンと、
前記雄型コネクタと着脱可能な雌型コネクタ、及びこの雌型コネクタのための装着口を持つケーシングを有するスタンド本体と、
前記スタンド本体のケーシング内に配設され、前記雄型コネクタを雌型コネクタに装着した状態で固定するロック機構と
を備えるマイクロフォン装置であって、
前記ロック機構が、前記雄型コネクタの挿入方向に押圧されることで雄型コネクタの固定を解除可能に構成されるアンロック部材を有し、
前記ケーシングが前記装着口の近傍部位に、前記アンロック部材を操作するための棒状治具用の挿入孔を有することを特徴とするマイクロフォン装置。
【請求項２】
前記装着口と前記挿入孔との間隔が前記挿入孔の平均径以下である請求項１に記載のマイクロフォン装置。
【請求項３】
前記挿入孔の平均径が、１．５ｍｍ以上４．０ｍｍ以下である請求項２に記載のマイクロフォン装置。
【請求項４】
前記ケーシングと前記雌型コネクタ及び前記アンロック部材との間に配置され、前記装着口及び挿入孔に連続する穴が形成されたエスカッションをさらに備える請求項１、請求項２又は請求項３に記載のマイクロフォン装置。
【請求項５】
前記雌型コネクタを保持するステーをさらに備え、
前記ケーシングが、上部が開口するベースと、このベースの上部開口を封止し、前記装着口及び前記挿入孔が形成されたカバーとを有し、
前記ステーが前記カバーに保持される請求項１から請求項４のいずれか１項に記載のマイクロフォン装置。
【請求項６】
前記カバーに取り付けられる補助フレームをさらに備え、
前記ステーが前記補助フレームを介して前記カバーに保持される請求項５に記載のマイクロフォン装置。
【発明の詳細な説明】
【技術分野】
【０００１】
本発明は、マイクロフォン装置に関する。
【背景技術】
【０００２】
例えば構内放送等に用いられるマイクロフォン装置としては、卓上に載置されるスタンド本体に、グースネック型マイクロフォン（湾曲させられるアームと、このアームの先端に配設される集音部とを有するマイクロフォン）をコネクタを用いて着脱可能に装着したものが一般的に用いられている。つまり、マイクロフォン装置は、一般的に、交換可能なグースネック型マイクロフォンを有する構成とされる。
【０００３】
このようなマイクロフォン装置においてマイクロフォンが意図せずに外れることを防止するために、例えば特開２００９−１８８７９３号公報には、コネクタを装着した状態で固定するロック機構を設けることが開示されている。この公報に記載されるマイクロフォン装置は、ロック機構を操作するために、ケーシングの開口から露出し、指で容易に押すことができるリリースボタン（アンロック部材）を設けている。
【０００４】
前記公報に記載されるようなリリースボタンを設けると、リリースボタンの操作によりマイクロフォンを取り外しできることが誰の目にも明らかである。このため、マイクロフォン装置が不特定多数の人が出入り可能な場所で使用される場合、マイクロフォンを取り外して隠したり持ち去ったりするいたずらがなされる可能性がある。
【先行技術文献】
【特許文献】
【０００５】
【特許文献１】特開２００９−１８８７９３号公報
【発明の概要】
【発明が解決しようとする課題】
【０００６】
上述のような事情に鑑みて、本発明は、第三者が容易にマイクロフォンを取り外しできないマイクロフォン装置を提供することを課題とする。
【課題を解決するための手段】
【０００７】
前記課題を解決するためになされた本発明の一態様に係るマイクロフォン装置は、端部に雄型コネクタを有するグースネック型マイクロフォンと、前記雄型コネクタと着脱可能な雌型コネクタ、及びこの雌型コネクタのための装着口を持つケーシングを有するスタンド本体と、前記スタンド本体のケーシング内に配設され、前記雄型コネクタを雌型コネクタに装着した状態で固定するロック機構とを備えるマイクロフォン装置であって、前記ロック機構が、前記雄型コネクタの挿入方向に押圧されることで雄型コネクタの固定を解除可能に構成されるアンロック部材を有し、前記ケーシングが前記装着口の近傍部位に、前記アンロック部材を操作するための棒状治具用の挿入孔を有することを特徴とする。
【０００８】
当該マイクロフォン装置において、前記装着口と前記挿入孔との間隔が前記挿入孔の平均径以下であることが好ましい。
【０００９】
当該マイクロフォン装置において、前記挿入孔の平均径が、１．５ｍｍ以上４．０ｍｍ以下であることが好ましい。
【００１０】
当該マイクロフォン装置において、前記ケーシングと前記雌型コネクタ及び前記アンロック部材との間に配置され、前記装着口及び挿入孔に連続する穴が形成されたエスカッションをさらに備えることが好ましい。
【００１１】
当該マイクロフォン装置において、前記雌型コネクタを保持するステーをさらに備え、前記ケーシングが、上部が開口するベースと、このベースの上部開口を封止し、前記装着口及び前記挿入孔が形成されたカバーとを有し、前記ステーが前記カバーに保持されることが好ましい。
【００１２】
当該マイクロフォン装置において、前記カバーに取り付けられる補助フレームをさらに備え、前記ステーが前記補助フレームを介して前記カバーに保持されることが好ましい。
【００１３】
なお、本発明において、「装着口の近傍部位に、挿入孔を有する」とは、装着口の外縁と挿入孔の外縁との最短距離が装着口の平均径以下であることを意味する。また、「平均径」とは、円相当径（面積が等しい円の直径）を意味するものとする。
【発明の効果】
【００１４】
本発明の一態様に係るマイクロフォン装置は、マイクロフォンの雄型コネクタの固定を解除するアンロック部材がケーシングの内部に配設され、ケーシングに設けた挿入孔に棒状治具を挿入してアンロック部材を操作するよう構成されている。このため、当該マイクロフォン装置は、第三者がアンロック部材を視認しにくく、アンロック部材に気付いたとしても棒状の治具を用意しなければ雄型コネクタの固定を解除できないので、第三者がマイクロフォンを容易に取り外すことができない。
【図面の簡単な説明】
【００１５】
【図１】本発明の一実施形態のマイクロフォン装置を示す模式的斜視図である。
【図２】図１のマイクロフォン装置のスタンド本体の主要構成要素の模式的分解斜視図である。
【図３】図１のマイクロフォン装置のスタンド本体の模式的断面図である。
【発明を実施するための形態】
【００１６】
以下、適宜図面を参照しつつ、本発明の実施の形態を詳説する。
【００１７】
［第一実施形態］
図１に、本発明の一実施形態に係るマイクロフォン装置を示す。
【００１８】
当該マイクロフォン装置は、主に構内放送用に使用されるものであり、音声が流されるエリア、具体的には使用するスピーカー又はスピーカーのグループを選択することができる。なお、「構内放送」とは、例えば病院や会議室やオフィス等の全体又は一部の領域、例えば遊園地やショッピングセンター等の屋外施設の全体又は一部の領域などに音声を流すことを意味するが、音声を流す領域の種類や大小は限定されない。
【００１９】
当該マイクロフォン装置は、グースネック型マイクロフォン１と、例えばテーブル等の上に載置され、前記型マイクロフォン１が取り付けられるスタンド本体２と備える。
【００２０】
〔マイクロフォン〕
マイクロフォン１は、音波（空気振動）を電気信号に変換する集音部３と、この集音部３を一端に支持する湾曲することができる支持アーム４と、この支持アーム４の集音部３と反対側の端部に配設される雄型コネクタ５とを有する。
【００２１】
このようなマイクロフォン１としては、市販されているものを使用することができる。このため、雄型コネクタ５は、デファクトスタンダードとなっているキャノン社のＸＬＲコネクタの雄型端子又はその互換品を用いることが好ましい。一方、集音部３及び支持アーム４は、例えば当該マイクロフォン装置を配置する場所、音声を流す場所等に応じて適宜選択することができる。
【００２２】
〔スタンド本体〕
スタンド本体２は、上部が開口するベース６とこのベース６の上部開口を封止するカバー７とを有するケーシング８を備え、当該マイクロフォン装置の機能を有効化するトークボタン９と、放送領域を選択する複数の選択ボタン１０とがケーシング８の上面（カバー７の表面）に突出するよう配設されている。つまり、当該マイクロフォン装置は、選択ボタン１０によって放送領域を選択し、トークボタン９を押している間だけ構内放送を行うことができる（いわゆるプッシュツートーク）。
【００２３】
また、スタンド本体２は、図２及び図３に示すように、ケーシング８内に配設され、マイクロフォン１の雄型コネクタ５と着脱可能な雌型コネクタ１１を備える。このため、ケーシング８のカバー７は、雄型コネクタ５を挿入するための装着口１２を有する。
【００２４】
雌型コネクタ１１は、スタンド本体２を水平なテーブル上に載置した状態で、雄型コネクタ５の着脱方向が鉛直方向となるよう配設されている。このように、雄型コネクタ５の着脱方向を鉛直方向としたことによって、マイクロフォン１のスタンド本体２に対する着脱が容易となる。
【００２５】
カバー７は、トークボタン９及び選択ボタン１０を操作しやすいよう奧側が高くなるよう傾斜していることが好ましい。一方、装着口１２は、カバー７の表面の傾斜に拘わらず、雄型コネクタ５の着脱方向にカバー７を貫通するよう形成されること、つまり鉛直方向に形成されることが好ましい。
【００２６】
雌型コネクタ１１は、雄型コネクタ５を雌型コネクタ１１に装着した状態で固定するロック機構１３を有する。このロック機構１３を有することで、当該マイクロフォン装置は、マイクロフォン１が意図せずにスタンド本体２から脱離して、放送中に音声が途切れることを防止する。
【００２７】
ロック機構１３は、雄型コネクタ５の挿入方向に押圧されることで雄型コネクタ５の固定を解除可能に構成されるアンロック部材１４を有する。このようなロック機構１３を有する雌型コネクタ１１としては、例えば特開２００９−１８８７９３号公報に記載されるもの等を用いることができる。
【００２８】
ロック機構１３は、ケーシング８の内部に配置されるため、ケーシング８のカバー７は、装着口１２の近傍部位に、アンロック部材１４を操作（押下）するための棒状治具（不図示）用の挿入孔１５を有する。つまり、当該マイクロフォン装置は、棒状治具として、例えば針金、精密ドライバー等を用い、この棒状治具を挿入孔１５に差し込んでアンロック部材１４を押下することで、スタンド本体２からマイクロフォン１を取り外すことができるようになる。
【００２９】
挿入孔１５は、カバー７の表面の傾斜に拘わらず、アンロック部材１４の操作方向、つまり雄型コネクタ５の着脱方向にカバー７を貫通するよう形成されることが好ましい。
【００３０】
挿入孔１５の平均径の下限としては、１．５ｍｍが好ましく、２．０ｍｍがより好ましい。一方、挿入孔１５の平均径の上限としては、４．０ｍｍが好ましく、３．５ｍｍがより好ましい。挿入孔１５の平均径が前記下限に満たない場合、ロック機構１３の操作が可能な強度を有する棒状治具を使用することができなくなるおそれがある。逆に、挿入孔１５の平均径が前記上限を超える場合、挿入孔１５からアンロック部材１４が視認しやすくなり、第三者がマイクロフォン１の取り外し方法に容易に気付くことでマイクロフォン１を取り外して隠す等のいたずらを誘発するおそれがある。また、挿入孔１５の平均径が前記上限を超える場合、棒状治具によりアンロック部材１４を押下する中心位置が雌型コネクタ１１の本体から遠くなることで、ロック機構１３の設計が複雑になるおそれもある。
【００３１】
挿入孔１５は、装着口１２と繋がっていてもよい、つまり装着口１２の外縁を局所的に拡大して形成されてもよいが、装着口１２から独立して形成されることが好ましい。装着口１２と挿入孔１５との間隔（外縁間の最短距離）の下限としては、挿入孔１５の平均径の０．２倍が好ましく、０．３倍がより好ましい。一方、装着口１２と挿入孔１５との間隔の上限としては、挿入孔１５の平均径の１．０倍が好ましく、０．８倍がより好ましい。装着口１２と挿入孔１５との間隔が前記下限に満たない場合、挿入孔１５を装着口１２と独立して形成することが容易でなくなるおそれがある。逆に、装着口１２と挿入孔１５との間隔が前記上限を超える場合、挿入孔１５が目立ちやすくなり、いたずらを十分に防止できないおそれがある。また、装着口１２と挿入孔１５との間隔が前記上限を超える場合、棒状治具によりアンロック部材１４を押下する中心位置が雌型コネクタ１１の本体から遠くなることで、ロック機構１３の設計が複雑になるおそれもある。
【００３２】
また、挿入口１５は、その中心がアンロック部材１４の中心の鉛直方向上側に配置されることが好ましい。換言すると、ロック機構１３は、装着口１２との間隔が上述の範囲となるよう配設される挿入孔１５の直下にアンロック部材１４を有するよう構成されることが好ましい。
【００３３】
スタンド本体２は、ケーシング８のカバー７と雌型コネクタ１１との間に配置されるエスカッション１６をさらに備える。エスカッション１６は、装着口１２及び挿入孔１５に連続する連通穴１７が形成されている。
【００３４】
このように、カバー７と雌型コネクタ１１との間に連通穴１７が形成されたエスカッション１６を備えることによって、装着口１２と雄型コネクタ５との隙間が大きくても、この隙間から侵入する光がロック機構１２、特にアンロック部材１４に当たって装着口１２からアンロック部材１４を容易に視認可能とすることを防止できる。これにより、第三者がマイクロフォン１の取り外し方法を容易に想到することができず、第三者がマイクロフォン１を無断で取り外すことを防止できる。
【００３５】
また、このエスカッション１６によってカバー７と雌型コネクタ１１との間を埋めるよう構成することによって、雌型コネクタ１１を鉛直上向き配置すると共に、カバー７が雌型コネクタ１１の上方において水平方向に対して傾斜したデザインを採用することができる。
【００３６】
エスカッション１６は、樹脂の射出成形によって形成することができる。また、エスカッション１６は、ロック機構１３をより視認しにくくするために黒色であることが好ましい。
【００３７】
また、スタンド本体２は、雌型コネクタ１１及びエスカッション１６を保持するステー１８と、カバー７の両側縁内面側に取り付けられる一対の補助フレーム１９，２０とをさらに備える。前記ステー１８は、補助フレーム１９，２０に取り付けられる。換言すると、雌型コネクタ１１及びエスカッション１６を保持するステー１８は、補助フレーム１９，２０を介してカバー７に保持される。
【００３８】
このように、カバー７が雌型コネクタ１１を保持することによって、雌型コネクタ１１と装着口１２及び挿入孔１５との相対位置が正確に定められる。
【００３９】
また、カバー７に直接雌型コネクタ１１を保持させず、補助フレーム１９，２０及びステー１８を介して雌型コネクタ１１を保持させることで、カバー７の形状を複雑にすることなく、表面が湾曲したデザインを有するカバー７に対して比較的正確に雌型コネクタ１１を取り付けることができる。
【００４０】
また、カバー７は、補助フレーム１９，２０を介してベース６に取り付けられる。このため、雄型コネクタ５の着脱時に作用する力は、ステー１８から補助フレーム１９，２０に伝わり、ベース６に分散して作用する。このように、ステー１８及び補助フレーム１９，２０は、雄型コネクタ５の着脱時に作用する力をベース６に分散して作用させ、カバー７が変形することを防止する。
【００４１】
カバー７が補助フレーム１９，２０及びステー１８を介して雌型コネクタ１１を保持する構成としたことよって、カバー７としては、例えばアルミニウム板等の金属板をプレス成形したものを用いることができる。カバー７の平均厚さとしては、例えば１．２ｍｍ以上２．５ｍｍ以下とすることができる。
【００４２】
一方、雄型コネクタ５の着脱時に作用する力を受けると共に、ケーシング８の強度を確保する部材であるベース６は、例えば亜鉛ダイキャストから形成することができる。
【００４３】
また、補助フレーム１９，２０及びステー１８は、強度を向上するリブを有する板状体とすることができる。このような補助フレーム１９，２０及びステー１８としては、例えばめっき鋼板をプレス成形したものを用いることができる。これら補助フレーム１９，２０及びステー１８を構成する鋼板の平均厚さとしては、例えば０．８ｍｍ以上１．５ｍｍ以下とすることができる。
【００４４】
ステー１８への雌型コネクタ１１の固定方法としては、例えばねじ止め等を採用することができる。一方、ステー１８へのエスカッション１６の固定方法としては、エスカッション１６に、ステー１８に形成される係合孔に、係合する例えば鈎状の係合突起を設ける方法を採用することができる。
【００４５】
また、ステー１８は、カバー７の裏面近傍まで延びる複数の凸部２１を有する。この複数の凸部２１は、スタンド本体２に対するマイクロフォン１の着脱操作時にスタンド本体２をテーブル上で固定するためにカバー７が押さえつけられたときに、カバー７の内面に当接してカバー７の変形を抑制する。これによって、カバー７の装着口１２と雌型コネクタ１２との位置関係が保持され、マイクロフォン１のスタンド本体２に対する着脱を担保することができる。
【００４６】
当該マイクロフォン装置は、マイクロフォン１の雄型コネクタ５の雌型コネクタ１１への固定を解除するアンロック部材１４がケーシング８の内部に配設され、ケーシング８のカバー７に設けた挿入孔１５に棒状治具を挿入してアンロック部材１４を操作するよう構成されている。このため、当該マイクロフォン装置は、第三者がアンロック部材１４を視認しにくいことに加え、アンロック部材１４に気付いたとしても棒状治具を用意しなければ雄型コネクタ５の固定を解除できないので、第三者がマイクロフォン１を容易に取り外すことができない。
【００４７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００４８】
当該マイクロフォン装置において、ロック機構は、雌型コネクタに設けられるものに限られず、雌型コネクタとは別に設けられるものであってもよい。
【００４９】
当該マイクロフォン装置は、構内放送用のマイクロフォン装置に限られず、グースネック型マイクロフォンがスタンド本体に着脱可能に取り付けられるものであればよく、例えばテレビ又はラジオ放送用マイクロフォン装置、ディスクジョッキー用マイクロフォン装置等として使用されるものであってもよい。
【産業上の利用可能性】
【００５０】
本発明の一態様に係るマイクロフォン装置は、構内放送用マイクロフォン装置として特に好適に利用することができる。
【符号の説明】
【００５１】
１  マイクロフォン
２  スタンド本体
３  集音部
４  支持アーム
５  雄型コネクタ
６  ベース
７  カバー
８  ケーシング
９  トークボタン
１０  選択ボタン
１１  雌型コネクタ
１２  装着口
１３  ロック機構
１４  アンロック部材
１５  挿入孔
１６  エスカッション
１７  連通穴
１８  ステー
１９，２０  補助フレーム
２１  凸部
【図１】
2018129633.tif 000003
【図２】
2018129633.tif 000004
【図３】
2018129633.tif 000005